(57)【要約】【課題】ヒューズの抜き取り操作のための大きなスペースを必要とせず、ヒューズ装着部内に埋入されたヒューズにも適用可能とする。【解決手段】周壁２の内側に一対のリンク板７の一端を回動自在に連結し、一対のリンク板の他端を一対の把持脚８の一端に回動自在に連結し、把持脚の他端側にヒューズ１０を把持した状態で、周壁をヒューズ方向に移動させることで、リンク板をヒューズ抜取方向に回動するヒューズプラー１を採用する。また、周壁２２，４２の内側に一対のばね部２３，４３を設け、ばね部に沿ってプラー本体２５，４５を挿入し、プラー本体は一対の把持脚３２と両側の山部３４を有し、山部は把持脚先端寄りの一方の傾斜面３４ｂを有し、周壁をヒューズ方向に移動させ、ばね部が一方の傾斜面に弾接し、プラー本体をヒューズ抜出方向に付勢するヒューズプラー２１，４１を採用する。【選択図】図１
2010123328.tif 000002
【特許請求の範囲】
【請求項１】
周壁の内側に一対のリンク板の一端が回動自在に連結され、該一対のリンク板の他端が一対の把持脚の一端に回動自在に連結され、該把持脚の他端側にヒューズを把持した状態で、該周壁をヒューズ方向に移動させることで、該リンク板がヒューズ抜き取り方向に回動し、該把持脚が該ヒューズをヒューズ装着部から抜き出すことを特徴とするヒューズプラー。
【請求項２】
周壁の内側に一対のばね部が設けられると共に、該一対のばね部に沿ってプラー本体が挿入され、該プラー本体が一対の把持脚と両側の山部とを有し、該山部が把持脚先端寄りの一方の傾斜面を少なくとも有し、該把持脚の先端部がヒューズを把持した状態で、該周壁をヒューズ方向に移動させることで、該ばね部が該一方の傾斜面に弾接して、該プラー本体をヒューズ抜き出し方向に付勢することを特徴とするヒューズプラー。
【請求項３】
前記山部が前記一方の傾斜面とは反対側の他方の傾斜面を有し、前記ばね部が該他方の傾斜面に当接した状態で、前記把持脚が前記ヒューズを把持することを特徴とする請求項２記載のヒューズプラー。
【請求項４】
前記ばね部がアーム状に形成されたことを特徴とする請求項２又は３記載のヒューズプラー。
【請求項５】
前記ばね部が少なくとも内向きに傾斜した板状の傾斜部を有することを特徴とする請求項２又は３記載のヒューズプラー。
【請求項６】
前記ばね部が略くの字状に屈曲形成され、該ばね部の把持脚先端寄りの一方の傾斜面が前記山部の他方の傾斜面に当接し、該ばね部の該一方の傾斜面とは反対側の前記傾斜部の他方の傾斜面が前記山部の一方の傾斜面に弾接することを特徴とする請求項５記載のヒューズプラー。
【請求項７】
前記ばね部の一方の傾斜面側に補助操作部が設けられたことを特徴とする請求項６記載のヒューズプラー。
【発明の詳細な説明】
【技術分野】
【０００１】
本発明は、電気接続箱等に装着されたブレード型のヒューズを抜き取るためのヒューズプラーに関するものである。
【背景技術】
【０００２】
図７は、従来の一般的なヒューズプラーを示すものである。
このヒューズプラー６１は、左右一対の把持杆６２と、一対の把持杆６２を連結し、把持杆６２の先端側を閉じ方向に付勢するばね部６３とで成り、把持杆６２の基端側に開き用の操作部６４を有したものである。
【０００３】
ヒューズ１０は例えば電気接続箱（図示せず）の上部のヒューズ装着部に垂直に配置され、作業者はメンテナンス等において、ヒューズ１０の頭部下側の溝１０ｂにヒューズプラー６１の先端爪部６５を係合させ、ヒューズプラー６１を上向きに引くことで、ヒューズ１０をヒューズ装着部から引き抜いて離脱させる。
【０００４】
ヒューズ１０は絶縁樹脂製の胴部１０ｄの前後に一対の雄タブ端子１０ｃを突設したブレード型の小さなヒューズであり、胴部１０ｄと頭部１０ａとの間に水平な溝１０ｂを有し、胴部１０ｄ内に一対のタブ端子１０ｃを繋ぐ可溶部（図示せず）を有している。
【０００５】
図８は、本出願人が提案した従来のヒューズプラーの他の形態を示すものである（特許文献１参照）。
【０００６】
このヒューズプラー７１は、左右一対の脚部７２と、各脚部７２に一体に形成された波状のばね部７３と、両脚部７２を連結する天板７４と、天板７４に垂下形成された左右一対の爪部７５とで成るものである。
【０００７】
ヒューズ７６は電気接続箱の絶縁樹脂製の接続箱本体等の上壁７７から上向きに突出して設けられ、上壁側のヒューズ装着部７８において、ヒューズ７６の左右に、ヒューズプラー７１の各脚部７２の先端を進入させる凹部７９が設けられ、ヒューズ７６の胴部が上向きに露出し、ヒューズ７６の一対の雄端子７６ｃが収容室８０内で回路側の雌端子８１に接続されている。ヒューズ７６の頭部７６ａは胴部よりも幅広に形成されている。
【０００８】
メンテナンス等で作業者は、ヒューズプラー７１の脚部７２を凹部７９内に進入させて位置決めし、天板７４を下向きに強く押圧してばね部７３を圧縮させつつ、爪部７５をヒューズ１０の頭部１０ａの下面に係合させる。天板７４から手を離せば、ばね部７３が復元（伸長）しつつ、ヒューズ７６が自動的に抜き出される。
【特許文献１】特開平１０−２５５６４０号公報（図２）
【発明の開示】
【発明が解決しようとする課題】
【０００９】
しかしながら、上記従来の図７のヒューズプラー６１にあっては、電気接続箱等のヒューズ装着部の上側にヒューズプラー６１を手で上向きに引っ張るためのスペース（矢印Ａ参照）を必要とし、例えば自動車の狭いスペース内でヒューズ１０を抜き取る作業が困難になる場合があった。
【００１０】
また、上記従来の図８のヒューズプラー７１にあっては、脚部７２に対する位置決め部７９を接続箱本体等に設けないと、内側の爪部７５とヒューズ７６の頭部７６ａとの係合をスムーズに行うことができず（目視できないため）、且つ、ヒューズ７６を接続箱本体側の上壁７７から外部に高く突出させる必要があり、そのため、ヒューズ装着部内に埋入されたヒューズには適用することができず、接続箱本体側の形状が制約されるという懸念があった。
【００１１】
また、脚部７２の先端を接続箱本体の上壁７７に強く押し付ける必要があり、作業者の手を含めて押し付けのためのスペースが必要であると共に、接続箱本体の上壁７７が薄肉に形成された場合は、上壁７７が傷み兼ねないという懸念があった。これらの懸念は電気接続箱等の上部（垂直方向）に限らず側部（水平方向）にヒューズ１０，７６を挿抜する場合においても、同様に生じ得るものである。
【００１２】
本発明は、上記した点に鑑み、ヒューズの抜き取り操作のための大きなスペースを必要とせず、また、ヒューズ装着部内に埋入されたヒューズにも適用でき、容易に且つ確実にヒューズをヒューズ装着部から抜き出すことのできるヒューズプラーを提供することを目的とする。
【課題を解決するための手段】
【００１３】
上記目的を達成するために、本発明の請求項１に係るヒューズプラーは、周壁の内側に一対のリンク板の一端が回動自在に連結され、該一対のリンク板の他端が一対の把持脚の一端に回動自在に連結され、該把持脚の他端側にヒューズを把持した状態で、該周壁をヒューズ方向に移動させることで、該リンク板がヒューズ抜き取り方向に回動し、該把持脚が該ヒューズをヒューズ装着部から抜き出すことを特徴とする。
【００１４】
上記構成により、把持脚でヒューズを把持し、周壁の例えば下降に伴ってリンク板が上向きに回動して、把持脚をヒューズと一体に上昇させ、ヒューズが装着部から抜き出される。リンク板は回動時に弾性的に湾曲してその復元力を補助力として把持脚を上昇させてもよい。リンク板が湾曲する（撓む）ことで一対の把持脚がほぼ平行に維持される。ヒューズの抜き出し方向（ヒューズの配置）は垂直に限らず水平でもよい。
【００１５】
請求項２に係るヒューズプラーは、周壁の内側に一対のばね部が設けられると共に、該一対のばね部に沿ってプラー本体が挿入され、該プラー本体が一対の把持脚と両側の山部とを有し、該山部が把持脚先端寄りの一方の傾斜面を少なくとも有し、該把持脚の先端部がヒューズを把持した状態で、該周壁をヒューズ方向に移動させることで、該ばね部が該一方の傾斜面に弾接して、該プラー本体をヒューズ抜き出し方向に付勢することを特徴とする。
【００１６】
上記構成により、把持脚でヒューズを把持し、周壁の例えば下降時に、ばね部がプラー本体の山部で外側に押圧され、復元力で山部の一方（下側）の傾斜面に弾接することで、プラー本体に上向きの力が作用し、プラー本体がヒューズと一体に上昇してヒューズがヒューズ装着部から抜き出される。ヒューズの抜き出し方向（ヒューズの配置）は垂直に限らず水平でもよい。
【００１７】
請求項３に係るヒューズプラーは、請求項２記載のヒューズプラーにおいて、前記山部が前記一方の傾斜面とは反対側の他方の傾斜面を有し、前記ばね部が該他方の傾斜面に当接した状態で、前記把持脚が前記ヒューズを把持することを特徴とする。
【００１８】
上記構成により、可撓性の把持脚の先端部をヒューズの頭部に押し付けて係合させる際に、ばね部がプラー本体の他方の傾斜面に当接して、押し付け力を受け止める。把持脚の先端部にヒューズを係合保持させた状態で、周壁を下降させることで、ばね部がプラー本体の他方の傾斜面にスムーズに摺接する。
【００１９】
請求項４に係るヒューズプラーは、請求項２又は３記載のヒューズプラーにおいて、前記ばね部がアーム状に形成されたことを特徴とする。
【００２０】
上記構成により、周壁に続くアーム状のばね部の折り返し部（付け根部近傍部分）とその近傍部分がプラー本体の一方の傾斜面に強く弾接してプラー本体を上向きに付勢する。
【００２１】
請求項５に係るヒューズプラーは、請求項２又は３記載のヒューズプラーにおいて、前記ばね部が少なくとも内向きに傾斜した板状の傾斜部を有することを特徴とする。
【００２２】
上記構成により、周壁の例えば下降時に、ばね部の傾斜部がプラー本体の山部の一方（下側）の傾斜面に弾接することで、プラー本体に上向きの力が作用する。
【００２３】
請求項６に係るヒューズプラーは、請求項５記載のヒューズプラーにおいて、前記ばね部が略くの字状に屈曲形成され、該ばね部の把持脚先端寄りの一方の傾斜面が前記山部の他方の傾斜面に当接し、該ばね部の該一方の傾斜面とは反対側の前記傾斜部の他方の傾斜面が前記山部の一方の傾斜面に弾接することを特徴とする。
【００２４】
上記構成により、ばね部の一方（下側）の傾斜面がプラー本体の他方の傾斜面に当接した状態で、把持脚の先端部をヒューズの頭部に押し付けて係合させる。また、周壁の下降に伴ってばね部の一方の傾斜面がプラー本体の他方の傾斜面をスムーズに摺接する。
【００２５】
請求項７に係るヒューズプラーは、請求項６記載のヒューズプラーにおいて、前記ばね部の一方の傾斜面側に補助操作部が設けられたことを特徴とする。
【００２６】
上記構成により、ヒューズの抜き出し力がばね力よりも大きい場合に、補助操作部を内向きに押圧することで、ばね力＋押圧力でヒューズが確実に抜き出される。
【発明の効果】
【００２７】
請求項１記載の発明によれば、周壁の押し下げと同時にヒューズの抜き出しが開始されるから、従来のように周壁をヒューズ装着部に強く突き当てる必要がなく、ヒューズ抜き取り作業が容易化すると共に、周壁の押し下げは上からに限らず横からも行うことができるから、上方の大きな操作スペースが不要で、自動車のエンジンルーム等の狭いスペースにも適用することができる。また、ヒューズ装着部内に埋入されたヒューズでも一対の把持脚で把持できるので、ヒューズ装着部側の形状等の制約を受けることなく、種々の電気接続箱等のヒューズ装着部に適用することができる。
【００２８】
請求項２記載の発明によれば、周壁の押し下げに伴ってばね力でヒューズの抜き出しが行われるから、従来のように周壁をヒューズ装着部に強く突き当てる必要がなく、ヒューズ抜き取り作業が容易化すると共に、周壁の押し下げは上からに限らず横からも行うことができるから、上方の大きな操作スペースが不要で、自動車のエンジンルーム等の狭いスペースにも適用することができる。また、ヒューズ装着部内に埋入されたヒューズでも一対の把持脚で把持できるので、ヒューズ装着部側の形状等の制約を受けることなく、種々の電気接続箱等のヒューズ装着部に適用することができる。
【００２９】
請求項３記載の発明によれば、把持脚の先端部をヒューズに押し付けて係合させる作業をプラー本体の上昇なくスムーズ且つ確実に行わせることができる。また、ばね部がプラー本体の他方の傾斜面に沿ってスムーズに摺接することで、周壁の下降操作を引っ掛かりなくスムーズに行わせることができる。
【００３０】
請求項４記載の発明によれば、アーム状のばね部の付け根部側の強いばね力を利用してプラー本体をヒューズ抜き方向に確実に移動させることができる。
【００３１】
請求項５記載の発明によれば、ばね部の形状を略板状に簡素化してコンパクト化・低コスト化を図ることができる。
【００３２】
請求項６記載の発明によれば、把持脚の先端部をヒューズに押し付けて係合させる作業をプラー本体の上昇なくスムーズ且つ確実に行わせることができる。また、ばね部がプラー本体の他方の傾斜面に沿ってスムーズに摺接することで、周壁の下降操作を引っ掛かりなくスムーズに行わせることができる。
【００３３】
請求項７記載の発明によれば、ヒューズの抜き出し力がばね力よりも大きい場合に、補助操作部を内向きに押圧することで、ヒューズを確実に抜き出すことができ、これにより、種々の端子接圧のヒューズに適用可能となる。
【発明を実施するための最良の形態】
【００３４】
図１は、本発明に係るヒューズプラーの第一の実施形態の一適用例、図２は同じくヒューズプラーの作用を示すものである。
【００３５】
このヒューズプラー１は、合成樹脂材で一体に形成され、矩形筒状の周壁２と、周壁２内で対向する二つの壁部３から傾斜状に且つ回動自在に突出形成された一対のリンク板７（図２）と、各リンク板７の先端から下向きに長く垂下形成された板状の一対のヒューズ把持脚８とで構成されるものである。
【００３６】
周壁２は前後左右の垂直な壁部３，４で構成され、左右の壁部３の上端にリンク板７の一端７ａがヒンジ状に回動自在に連結され、リンク板７の他端７ｂが把持脚８の上端にヒンジ状に回動自在に連結されている。リンク板７の一端７ａと他端７ｂは薄肉ヒンジ状に形成され、そのヒンジ状部（７ａ，７ｂ）で周壁２や把持脚８に連結されている。各リンク板７は左右対称に形成され、真直な形状の時に剛性を有し、屈曲時に板ばねのように強いばね性を発揮する。左右の壁部３の下半にはヒューズ目視用等の矩形状の切欠開口９が形成されている。
【００３７】
各把持脚８は、長板状に真直に平行に延び、先端（下端）側に上下一対の水平なヒューズ把持リブ（ヒューズ保持部）８ａ，８ｂを有して、左右対称に配置されている。図２（ａ）の如く、各リンク板７が下向きに傾斜した状態（周壁２内に収容された状態）で、各把持脚８の先端側の各リブ８ａ，８ｂが周壁２の下部開口２ａから下側に突出（露出）する。
【００３８】
図２（ｂ）の如く、各リンク板７が上向きに傾斜した状態（周壁２の上部開口２ｂから上方に突出した状態）で、各把持脚８の先端側のリブ８ａ，８ｂが周壁２内に位置する。本例で両把持脚８は各リンク板７のみに連結されているが、例えば両把持脚８の長手方向中間部を連結片（図示せず）で相互に連結することも可能である。
【００３９】
図１の例で、ヒューズ１０は絶縁樹脂製のヒューズブロック１１の上部のヒューズ装着部１２に装着され、ヒューズブロック１１は、図示しない合成樹脂製の矩形枠状のフレーム（接続箱本体）内に下方から挿入されて係止アーム（係止手段）１３で係止される。
【００４０】
フレーム内にはリレーブロックやコネクタ等（図示せず）も同様に組み付けられる。フレームの上部開口がアッパカバー（図示せず）で覆われてヒューズ１０等が保護され、フレームの下部開口がロアカバー（図示せず）で覆われて、ヒューズ１０等に接続された電線が保護される。
【００４１】
図１はあくまで一例であり、例えば有底の電気接続箱本体（図示せず）のヒューズ装着部にヒューズ１０を装着したものにおいても、上記ヒューズプラー１を適用可能である。これは後述の他の実施形態においても同様である。明細書で前後左右の方向は説明の便宜上のものである。
【００４２】
図１，図２（ｃ）の如く、ヒューズ装着部１２の前後の垂直な壁部１２ａの間隔とほぼ同じ間隔でヒューズプラー１の周壁２の前後の壁部４が配置され、周壁２の左右の壁部３の切欠開口９はヒューズ１０の頭部１０ａと同程度の幅で配置される。図２（ａ）の如く、周壁２の左右の壁部３の間隔は各ヒューズ１０のピッチの略二倍程度の幅となっている。周壁２の大きさ形状は後述の各実施形態においても同様である。
【００４３】
一対の把持脚８の内面の間隔はヒューズ１０の厚みと同程度であり、内面から突出した把持リブ８ａ，８ｂの突出長さは、ヒューズ１０の頭部１０ａの下側の溝１０ｂの深さと同程度である。
【００４４】
各把持脚８の長さは周壁２の高さと同程度であり、リンク板７の長さは、周壁２の左右の壁部３の内面の間隔の１／２の寸法から把持脚８の板厚を除した寸法以下である。図２（ａ）（ｂ）の如く、周壁２内の空間で一対のリンク板７が上下方向に回動することで、一対の把持脚８が上下に昇降する。その際、各リンク板７は少し弾性的に撓み、各把持脚８は平行から内向きに少し傾斜する。
【００４５】
ヒューズ１０の抜き取り作業は次のように行われる。先ず、図２（ａ）の如く、各把持脚８が下降して周壁２から下方に突出した状態（各リンク板７が下向きに傾斜した状態）で、作業者が周壁２を把持して下向きに押して、各把持脚８の先端のリブ８ａをヒューズ１０の頭部１０ａに乗り越えて係合させる。この際、各把持脚８の先端側は外向きに撓んでリブ８ａの乗り越えを許容する。
【００４６】
上側のリブ８ｂは頭部１０ａの上面に当接してそれ以上の把持脚８の押し込みを阻止する。周壁２内に指を入れて各把持脚８の上端を押さえた状態でリブ８ａと頭部１０ａの係合を行わせることも可能である。周壁２は側方から水平に手で把持することができる（上側のスペースがない場合）。
【００４７】
次いで、その状態で、図２（ｂ）の如く、周壁２を強く押し下げることで、ヒューズ１０の頭部１０ａに固定された各把持脚８の上端（符号７ｂで代用）を支点として、各リンク板７が上向きに回動し、それに従って（それと同時に）、各把持脚８がヒューズ１０と一体に上昇する。これにより、ヒューズ１０がヒューズ装着部１２から抜き出される。
【００４８】
ヒューズ装着部１２において、ヒューズ１０の各タブ端子１０ｃは下側の雌端子（図示せず）に接続され、雌端子はヒューズブロック１１内の電線やバスバー等の回路（図示せず）に接続されているから、ヒューズ１０の抜き取りによって、ヒューズ１０のタブ端子１０ｃと下側の雌端子との接続が解除される。図２（ｃ）の如く、ヒューズ１０が確実に抜き出されたか否かを周壁２の側部の切欠開口９から目視確認することができる。
【００４９】
ヒューズ１０の抜き出しは、図２（ａ）と図２（ｂ）との間で図２（ａ）の直後に開始され、図２（ｂ）において抜き出しが完了する。すなわち、図２（ａ）において、周壁２が下向きに移動するに伴って、弾性の各リンク板７が上向き凸状に湾曲してばね力を発揮し、そのばね力で把持脚８が持ち上げられることで、ヒューズ１０の抜き出しが始まり、図２（ｂ）の如く、各リンク板７が斜め上向きに真直に復元した状態でばね力が解消され（図２（ａ）の斜め下向きのリンク板７においても同様）、ヒューズ１０が周壁２内で各把持脚８で落下なく把持された状態に維持される。
【００５０】
図２（ｂ）において、周壁２の下端２ａはヒューズブロック１１（ヒューズ装着部１２）の上面１１ａに強く押し付けられることがなく、ヒューズブロック１１の上面１１ａに従来例（図８）のようなプラー当接用の特別な面を形成する必要がない。
【００５１】
また、ヒューズ１０はヒューズブロック１１の収容室（キャビティ）１４内に収容されたものであってもよく、従来例（図８）のようにヒューズブロック１１から上方に突出して装着されたものであってもよい。
【００５２】
なお、図２（ａ）の状態から周壁２を押し下げ、図２（ｂ）の如く周壁２の下端２ａをヒューズブロック１１の上面１１ａに当接させた状態で、リンク板７を上向き凸状に湾曲させ（図２（ｂ）の実施形態では湾曲は解消されている）、上向きのばね力を発揮させて、各把持脚８をヒューズ１０ごと上昇させるようにすることも可能である。但し、この場合は、周壁２の下端２ａをヒューズブロック１１の上面１１ａに当接させることが必要となる。
【００５３】
また、周壁２とリンク板７と把持脚８とを別体に形成して組み立てることも可能である。この場合、リンク板７のみを金属材で形成してばね力を高めることも可能である。金属製のリンク板７の一端７ａと他端７ｂはそれぞれ周壁２と把持脚８とにヒンジ状に回動自在に連結される。
【００５４】
図２の例でも同様であるが、両把持脚８の中間部を連結片（図示せず）で一体に連結して把持脚８の開き過ぎや閉じ過ぎを防ぐことも可能である。あるいは、周壁２の内面に把持脚８をスライド自在に係合させる高さ方向のガイド溝等（図示しないガイド部）を形成することも可能である。また、図２において、リンク板７の端部７ａを周壁２の上端２ｂではなく高さ方向中間部に配設することも可能である。
【００５５】
図３は、本発明に係るヒューズプラーの第二の実施形態の一適用例、図４は同じくヒューズプラーの作用を示すものである。
【００５６】
図３の如く、このヒューズプラー２１は、合成樹脂を材料として、二部品で構成され、矩形筒状の周壁２２と、周壁２２内に設けられたアーム状の一対のばね部２３とで成る支持部材（ホルダ）２４と、図４の如く周壁２２内の空間をばね部２３に沿って昇降可能なプラー本体２５とで構成されたものである。
【００５７】
図３における絶縁樹脂製のヒューズブロック１１やヒューズ１０は図１の実施形態におけると同様であるので、同様の構成部分には同じ符号を付して詳細な説明を省略する。
【００５８】
図３の如く、周壁２２は前後左右の垂直な壁部２６，２７で構成され、左右の壁部２６の下端から上向きに切欠開口３０が設けられ、図４（ａ）の如く、左右の壁部２６の内面側で切欠開口３０から一対のばね部２３が上向きに一体に突出形成されている。各ばね部２３は、切欠開口３０から略Ｕ字状に一体に続く折り返し部２３ａと、折り返し部２３ａから外向きに傾斜して上向きに延長された傾斜部２３ｂとで構成されている。
【００５９】
図３の如く、プラー本体２５は、矩形状の天板部３１と、天板部３１から垂下された可撓性の左右一対のヒューズ把持脚３２と、把持脚３２（ないしその上側の胴部）を高さ方向中央で相互に連結した連結部３３とで構成されている。連結部３３の左右両側において把持脚３２の外面が外向きに山型状に突出し、この山型部３４は上側の傾斜面３４ａと下側の傾斜面３４ｂとを有し、上側の傾斜面３４ａの裾部はプラー本体２５の上半の幅狭部分（胴部）３５の垂直な外面に続き、下側の傾斜面３４ｂの裾部は把持脚３２の下端側に続いている。
【００６０】
プラー本体２５の全長は周壁２２の全高よりも長く設定されている。プラー本体２５の幅狭の上半部３５の外面にストッパ用の突起３６が設けられ、上半部３５の外面は幅広の天板３１の下面に続いている。把持脚３２の山部３４の幅は天板３１の幅よりも少し幅広である。
【００６１】
図４（ａ）の如く、プラー本体２５の上端が周壁２１の上壁と同一面に位置した際に、ばね部２３の折り返し部２３ａ側の部分２３ａ’がプラー本体２５の山部３４の上側の傾斜面３４ａに弾接し（弾性的に接触し）、それによりプラー本体２５が下向きに付勢される。ストッパ突起３６がばね部２３の上側の傾斜面２３ｂに当接することで、プラー本体２５のそれ以上の下降が阻止される。
【００６２】
その状態で、作業者が周壁２２を手で把持して、プラー本体２５の先端の把持リブ（ヒューズ保持部）３７ａをヒューズ１０の頭部１０ａに上から押し付けることで、両把持脚３２が外向きに撓み開いて、図４（ａ）の如くリブ３７ａが頭部１０ａに係合する。上側のリブ３７ｂは頭部１０ａに当接してそれ以上のプラー本体２５の押し込みを阻止する。プラー本体２５は上下移動することなく支持部材２４に保持されている。
【００６３】
次いで、図４（ｂ）の如く、周壁２２を手で把持したまま強く押し下げることで（周壁２２を上方からではなく側方から手で把持することができる）、ばね部２３がプラー本体２５の山部３４に沿って下向きにスライドし、山部３４の下側の傾斜面３４ｂに弾接する。周壁２２の下端２２ａはヒューズブロック１１（ヒューズ装着部１２）の上面１１ａに当接して停止する。
【００６４】
ばね部２３は折り返し部２３ａから傾斜部２３ｂにかけて（折り返し部２３ａとそれに続く部分２３ａ’）が大きく膨らんで（拡径して）、プラー本体２５の山部３４の下側の傾斜面３４ｂを上向き（斜め上向き）に強く付勢（押圧）する。少なくともばね部２３の内向きの頂点２３ａ’が下側の傾斜面３４ｂに弾接する。
【００６５】
これにより、図４（ｃ）の如く、プラー本体２５がヒューズ１０を把持した状態で上昇し、ヒューズ１０がヒューズブロック１１のヒューズ装着部１２から抜き出される。ばね部２３の傾斜部２３ｂはプラー本体２５の山部３４の下側の傾斜面３４ｂにほぼ全面的に接し、プラー本体２５を保持する。ヒューズ１０はプラー本体２５の両把持脚３２で落下なく保持される。
【００６６】
プラー本体２５の天板３１を指で押し下げれば、ヒューズ１０が周壁２２から外部に露出し、把持脚３２からのヒューズ１０の取り外しが容易化すると共に、図４（ａ）の初期状態を得る。
【００６７】
なお、図４（ｃ）におけるプラー本体２５の突出部分（上半部）３５を削除し、下半部のみでプラー本体２５を構成することも可能である。これは後述の第三の実施形態においても同様である。
【００６８】
また、プラー本体２５の山部３４を下側の傾斜面３４ｂと上側の水平面（図示せず）と、両面を繋ぐ頂部側の短い傾斜ないし湾曲面とで略直角三角形状に形成することも可能である。但し、この場合は、図４（ｂ）の周壁２２の押し込み操作に大きな力を要する。
【００６９】
図５は、本発明に係るヒューズプラーの第三の実施形態の一適用例、図６は同じくヒューズプラーの作用を示すものである。
【００７０】
このヒューズプラー４１は、上記図３〜図４のヒューズプラー２１と類似するものであり、図５の如く、合成樹脂を材料として、二部品で構成され、矩形筒状の周壁４２と、周壁４２内に設けられた板ばね状ないしアーム状（補助操作部を有する場合）の一対のばね部４３とで成る支持部材（ホルダ）４４と、図６の如く周壁４２内の空間をばね部４３に沿って昇降可能なプラー本体４５とで構成されている。
【００７１】
図５における絶縁樹脂製のヒューズブロック１１やヒューズ１０は図１の実施形態におけると同様であり、プラー本体４５は図３のプラー本体２５と同様であるので、同様の構成部分には同じ符号を付して詳細な説明を省略する。
【００７２】
支持部材４４の周壁４２は、前後左右の垂直な壁部４６，４７で成り、対向する二つ（左右）の壁部４６に下端から上半部にかけて矩形状の切欠開口４８が設けられ、切欠開口４８の上端から内向きにほぼ直線的に傾斜して一対のばね部４３が対向して対称に設けられている。
【００７３】
図６の如く、ばね部４３は、内向きの傾斜部４３ａと、傾斜部４３ａの下端に一体に設けられたブロック状の押圧部４３ｂとで成り、傾斜部４３ａは内向きの傾斜面（上側傾斜面）４３ｃを有し、押圧部４３ｂは傾斜部４３ａの内向きの傾斜面４３ｃから略くの字状に外向きに屈曲して続く傾斜面（下側傾斜面）４３ｄを有している。
【００７４】
ばね部４３の自由状態（押圧力をかけない状態）で、傾斜部４３ａは略くの字状に壁部４６に続いている。押圧部４３ｂは矩形ブロック状に形成され、切欠開口４８から外部に水平に突出し、突出外面に押圧操作用の滑り止め突起４３ｅを有している。押圧部４３ｂを外部から押圧操作するのは補助的なものであり、通常はばね部４３の復元力のみでヒューズ１０の抜き出しを行う。
【００７５】
図６（ａ）の如く、周壁４２の下端４２ａからプラー本体４５の一対の把持脚３２を下方に突出させた状態で、ばね部４３の押圧部４３ｂの傾斜面（下側傾斜面）４３ｄがプラー本体４５の山部３４の上側傾斜面３４ａに弾接する。プラー本体４５の上半のストッパ突起３６がばね部４３の傾斜部４３ａの内面４３ｃに当接することで、プラー本体４５のそれ以上の下降が阻止される。下側傾斜面４３ｄが上側傾斜面３４ａに当接することで、プラー本体４５の上昇が阻止され、その状態で、一対の把持脚３２の先端のリブ３７ａをヒューズ１０の頭部１０ａに押圧して係合させる。
【００７６】
次いで、図６（ｂ）の如く、ばね部４３の付勢に抗して周壁４２を押し下げることで、ばね部４３がプラー本体４５の山部３４に沿って外向きに撓みつつ、ばね部４３の上側傾斜面４３ｃがプラー本体４５の下側傾斜面３４ｂに弾接する。両ばね部４３はプラー本体４５を強い力で内向きに付勢して挟み付ける。周壁４２の下端４２ａはヒューズブロック１１の上面１１ａに当接してそれ以上の押し下げが阻止される。
【００７７】
このばね部４３の付勢力により、図６（ｃ）の如く、プラー本体４５がヒューズ１０を保持した状態で上向きに押圧され、プラー本体４５が上昇して、ヒューズ１０をヒューズブロック１１のヒューズ装着部１２から抜き出す。図６（ｂ）において、ヒューズ１０の雄端子１０ｃと相手側の雌端子（図示せず）との接触力が強く、ヒューズ１０が抜け出しにくい場合には、両ばね部４３の押圧部４３ｂの外面４３ｅを手指で内向きに摘んで押圧することで、ばね力＋手指の押圧力でヒューズ１０が確実に抜き出される。
【００７８】
ヒューズ１０はプラー本体４５の両把持脚３２で落下なく保持される。ヒューズプラー４１を持ち上げてプラー本体４５の天板３１を下向きに押すことで、ヒューズ１０が周壁４２の外部に露出すると共に、図６（ａ）の初期状態を得る。
【００７９】
なお、図５，図６の実施形態で、下側の傾斜面４３ｄを含む押圧部（補助操作部）４３ｂを排除し、板状の内向き（上側）の傾斜部４３ａのみでばね部材４３を構成することも可能である。この場合は、傾斜部４３ａの下端に短い外向きの傾斜ないし湾曲部（図示せず）を設けてプラー本体４５の山部３４との摺接をスムーズに行わせる。そして、プラー本体４５の上側の傾斜面３４ａを排除し、山部３４を下側の傾斜面３４ｂと上側の水平面（図示せず）と両面を繋ぐ短い傾斜ないし湾曲面（図示せず）とで略直角三角形状に形成することも可能である。
【００８０】
上記各実施形態の構成はヒューズプラー自体としてのみならず、ヒューズプラー１，２１，４１を用いたヒューズ抜き取り構造やヒューズ抜き取り方法等としても有効なものである。また、ヒューズ１０は電気接続箱におけるものに限らず、小さなヒューズボックスやヒューズブロック等を単独で用いた場合におけるものでもよい。電気接続箱のヒューズ１０に適用する場合、上記各ヒューズプラー１，２１，４１は電気接続箱内に備品として装着されることが好ましい。
【００８１】
また、上記各実施形態における周壁２，４２は四方の壁部ではなく三方の壁部で構成し、一方は開口させておくことも可能である（但し、対向する二つの壁部２６，４６はばね部２３，４３の力に抗して撓むことのないようにする必要がある）。
【００８２】
また、上記各実施形態におけるヒューズ１０は頭部１０ａを上向きに垂直に配置され、ヒューズプラー１，２１，４１はヒューズ１０の上方に配置されてヒューズを垂直に抜き出したが、例えばヒューズ１０をヒューズブロック等に水平に配置し、ヒューズプラー１，２１，４１を側方に配置して、ヒューズ１０を水平に抜き出すようにすることも可能である。
【図面の簡単な説明】
【００８３】
【図１】本発明に係るヒューズプラーの第一の実施形態の一適用例を示す斜視図（円内は拡大図）である。
【図２】同じくヒューズプラーでヒューズを抜き取る作用を操作順に示す、（ａ）（ｂ）は縦断面図、（ｃ）は（ｂ）に対応する側面図である。
【図３】本発明に係るヒューズプラーの第二の実施形態の一適用例を示す斜視図（円内は分解斜視図）である。
【図４】（ａ）〜（ｃ）は同じくヒューズプラーでヒューズを抜き取る作用を順に示す縦断面図である。
【図５】本発明に係るヒューズプラーの第三の実施形態の一適用例を示す斜視図（円内は分解斜視図）である。
【図６】（ａ）〜（ｃ）は同じくヒューズプラーでヒューズを抜き取る作用を順に示す縦断面図である。
【図７】従来の一般的なヒューズプラーを示す正面図である。
【図８】従来のヒューズプラーの他の形態の適用例を示す縦断面図である。
【符号の説明】
【００８４】
１，２１，４１  ヒューズプラー
２，２２，４２  周壁
７              リンク板
８，３２        把持脚
１０            ヒューズ
１２            ヒューズ装着部
２３，４３      ばね部
２５，４５      プラー本体
３４            山部
３４ａ          他方（上側）の傾斜面
３４ｂ          一方（下側）の傾斜面
４３ａ          傾斜部
４３ｂ          押圧部（補助操作部）
４３ｃ          他方（上側）の傾斜面
４３ｄ          一方（下側）の傾斜面
【図１】
2010123328.tif 000003
【図２】
2010123328.tif 000004
【図３】
2010123328.tif 000005
【図４】
2010123328.tif 000006
【図５】
2010123328.tif 000007
【図６】
2010123328.tif 000008
【図７】
2010123328.tif 000009
【図８】
2010123328.tif 000010